(57)【特許請求の範囲】
【請求項１】
外箱(12)の内部に所要の空間を介して内箱(11)が設けられ、開口部(14a)の内周下部に配設されて、該開口部(14a)を開閉するスライド扉(35,36)をスライド自在に支持する下レール(32)を、前記空間に断熱材(13)を充填してなる断熱箱体(14)と一体構成されるようにしたレール構造であって、
前記外箱(12)の前端には、前記開口部(14a)に近接する側に向けて折曲形成された折曲部(12a)の先端に、後方に向けて水平となるよう折曲されたフランジ(12b)が形成され、
前記内箱(11)の前端には、前記外箱(12)のフランジ(12b)と前後方向に所定間隔離間して同一レベルで対向するフランジ(11b)が形成され、
前記下レール(32)には、両フランジ(11b,12b)と略平行に延在する本体部(100)の裏面に、外箱(12)におけるフランジ(12b)の開放端に係合する第１係合部(101)と、内箱(11)におけるフランジ(11b)の開放端に係合すると共に本体部(100)の裏面との間で該フランジ(11b)を挟持する第２係合部(102)とが形成され、
前記本体部(100)の前端には、外箱(12)に対して前記折曲部(12a)から底面にかけて係止される略Ｌ字状の前係止部(103)が形成された
ことを特徴とするスライド扉用のレール構造。
【請求項２】
前記下レール(32)には、前記スライド扉(35,36)をスライド自在に支持するレール条(37,38)が形成され、このレール条(38,37)の上端レベルは、前記断熱箱体(14)の内底面より低くなるよう設定されている請求項１記載のスライド扉用のレール構造。
【請求項３】
前記下レール(32)の後端に、前記断熱箱体(14)の内底面に係止される係止部(107)が形成されている請求項１または２記載のスライド扉用のレール構造。
【発明の詳細な説明】
【０００１】
【発明の属する技術分野】
この発明は、スライド扉用のレール構造に関し、更に詳細には、冷蔵ショーケース等の本体をなす断熱箱体に配設されるスライド扉を支持する下レールを、該断熱箱体に一体的に配設するようにしたスライド扉用のレール構造に関するものである。
【０００２】
【従来の技術】
食料品店やコンビニエンスストア等で、食品や飲料品等を冷蔵状態で収納して陳列する冷蔵ショーケースが好適に使用されている。この冷蔵ショーケースは、内箱と外箱との間にウレタン等の発泡断熱材を充填した断熱箱体の内部に、食品や飲料品等の収納物の収納室が画成される。また断熱箱体の前部側には、前方に開放する開口部が矩形状に開設され、この開口部の内周上部および下部に配設された上レールと下レールとによって該開口部を開閉する前扉および後扉がスライド可能に支持されている。
【０００３】
前記上下のレールは、例えば樹脂材料を押出し成形等で成形したものであって、図１３および図１４に示すように、断面矩形状に成形された中空のベース７０における下側または上側の面に、その長手方向に沿って２本のレール条７６,７６が並列状態で一体成形されている。下レール７４は、レール条７６を鉛直上方に指向させて、そのベース後面上部に形成した係止部７０ａを断熱箱体７８の開口部７８ａにおける下部内周面に当接係止させた状態で、断熱箱体７８の前面下部に取付けられたレール受板８０を介して支持固定される。また上レール７２は、そのレール条７６を下レール７４のレール条７６に対向させた状態で、断熱箱体７８の前面上部に取付けられたレール受板８０を介して支持固定されている。
【０００４】
前記下レール７４におけるベース７０の上面には、各レール条７６を挟む前後および中央位置に、図に示す如く、前後の扉８２,８４の下端が収納される溝空間８６,８６を設けるための区画壁８８が、該レール条７６と平行に一体成形されている。この３つの区画壁８８は、レール条７６と略同一の高さ寸法に設定され、下レール７４の延在方向に沿って形成されることにより、前記開口部７８ａに沿った溝空間８６,８６が画成される。そして、各溝空間８６に対して、前後の扉８２,８４を構成する枠体９０の下枠材９４の一部が、前記区画壁８８,８８との間に僅かの間隙をあけて挟まれる状態で臨んでいる。また上レール７２の構成は、基本的には下レール７４と上下対称であって、前後の扉８２,８４を構成する枠体９０の上枠材９２の一部が、３つの区画壁８８で画成される溝空間８６,８６に収納された状態でスライド可能に臨んでいる。前記下枠材９４の内部にはローラ９６が配設されており、このローラ９６がレール条７６に回転可能に載置されることにより、前後の扉８２,８４が上下のレール７２,７４に沿ってスライドするよう構成されている。
【０００５】
【発明が解決しようとする課題】
前述したスライド扉用のレール構造では、冷蔵ショーケースの断熱箱体７８と下レール７４とが別体で構成され、該レール７４は前記レール受板８０を介して断熱箱体７８に配設するよう構成されている。このため、下レール７４の位置決めに困難を覚えると共に、取付け作業に時間を要する欠点がある。また、前後の扉８２,８４の荷重が直に加わる下レール７４は、その係止部７０ａが開口部７８ａの周縁部に係止されているが、断熱箱体７８に対しては前記レール受板８０だけで固定されるために、充分な取付け強度が確保されない問題がある。しかも、下レール７４を取付けた際には、図１４に示す如く、前記レール条７６および区画壁８８が、断熱箱体７８に内部画成した収納室の内部底面よりも上方に突出するため、その分だけ開口部７８ａの開口寸法が狭くなって収納物の出し入れの邪魔となる難点が指摘される。
【０００６】
【発明の目的】
本発明は、前述した従来の技術に内在している前記課題に鑑み、これを好適に解決するべく提案されたものであって、取付け強度を確保すると共に、収納物の出し入れを円滑に行ない得るよう構成したスライド扉用のレール構造を提供することを目的とする。
【０００７】
【課題を解決するための手段】
前記課題を克服し、所期の目的を達成するため、本発明に係るスライド扉用のレール構造は、
外箱の内部に所要の空間を介して内箱が設けられ、開口部の内周下部に配設されて、該開口部を開閉するスライド扉をスライド自在に支持する下レールを、前記空間に断熱材を充填してなる断熱箱体と一体構成されるようにしたレール構造であって、
前記外箱の前端には、前記開口部に近接する側に向けて折曲形成された折曲部の先端に、後方に向けて水平となるよう折曲されたフランジが形成され、
前記内箱の前端には、前記外箱のフランジと前後方向に所定間隔離間して同一レベルで対向するフランジが形成され、
前記下レールには、両フランジと略平行に延在する本体部の裏面に、外箱におけるフランジの開放端に係合する第１係合部と、内箱におけるフランジの開放端に係合すると共に本体部の裏面との間で該フランジを挟持する第２係合部とが形成され、
前記本体部の前端には、外箱に対して前記折曲部から底面にかけて係止される略Ｌ字状の前係止部が形成されたことを特徴とする。
【０００８】
【発明の実施の形態】
次に、本発明に係るスライド扉用のレール構造につき、好適な実施例を挙げて、添付図面を参照しながら以下説明する。図１は、実施例に係るスライド扉用のレール構造を概略的に示す要部縦断面図であり、図２および図３は、実施例に係るスライド扉用のレール構造を採用した冷蔵ショーケースの全体を示すものである。
【０００９】
(冷蔵ショーケースの全体構成について)
図２および図３に示す如く、実施例に係る冷蔵ショーケース１０は、内箱１１と外箱１２との間にウレタン等の発泡断熱材(断熱材)１３を充填してなる本体としての断熱箱体１４と、該箱体１４の幅方向の一側部に配設された冷却ユニット１５とから基本的に構成される。この冷却ユニット１５の内部に画成した機械室１６には、圧縮機１７や凝縮器１８等からなる冷凍装置１９や電装箱２０が収納されている。冷却ユニット１５の前面には、機械室１６に収納した冷凍装置１９や電装箱２０等のメンテナンスを行なう開口部が開設され、該開口部を閉成するようにフロントパネル２１が着脱可能に配設される。このフロントパネル２１には、電装箱２０と対応する位置に小窓２２が設けられ、該小窓２２を開放することで電装箱２０に配設されたスイッチ類を操作し得るよう構成してある。なお実施例では、前記凝縮器１８としてワイヤコンデンサが用いられ、該凝縮器１８は、機械室内に収納された各部品を側面から覆うよう配設されている。
【００１０】
前記断熱箱体１４には、食品や飲料品等の収納物の収納室２３が内部画成され、該収納室２３の奥側に、前記冷凍装置１９に接続する冷却器２４が配設されると共に、その下方には該冷却器２４の除霜水を受けるための除霜水受け板２５が設けられている。また収納室２３における冷却ユニット１５の配設側の側面に、室内の冷気を強制的に循環させるファンモータ２６が取付板２７を介して取付けられると共に、該取付板２７には冷却器２４に向けて冷気を案内する風向板２７ａが設けてある。収納室２３の前側中央部には、上下方向に延在する中央枠２８が設けられ、この中央枠２８の裏側に、ショーケース効果を得るための蛍光灯２９が上下方向に設けられている。なお、断熱箱体１４の外底部には、除霜運転時に発生する除霜水や露付きによる結露水を受けるためのドレンパン３０が、前記除霜水受け板２５や収納室内、あるいは後述する下レール３２にドレンパイプやドレンホース(何れも図示せず)を介して連通するよう配設される。
【００１１】
(レールについて)
前記断熱箱体１４の前部には、図３に示す如く、前方に開放する矩形状の開口部１４ａが形成されている。この開口部１４ａの内周には、その上下および左右に、合成樹脂製の上レール３１、下レール３２、左レール３３および右レール３４が対応的に配設される。この４本のレール３１,３２,３３,３４は、図４および図５に示すように、前記断熱箱体１４を構成する内箱１１および外箱１２の開放端に係合して、両箱１１,１２および４本のレール３１,３２,３３,３４で画成される内部空間に前記発泡断熱材１３を充填発泡することで一体化されている。そして、上下のレール３１,３２間に、前スライド扉(スライド扉)３５および後スライド扉(スライド扉)３６が夫々幅方向にスライド可能に支持されて、開口部１４ａを開閉し得るよう構成してある。なお実施例では、前スライド扉３５が開口部１４ａの右側半分を閉成し、後スライド扉３６が開口部１４ａの左側半分を閉成するようになっている。
【００１２】
前記両箱１１,１２とレール３１,３２,３３,３４との接続構造を詳細に説明すれば、前記外箱１２における前端の全周に亘り、図４および図５に示す如く、内側(開口部１４ａに近接する側)に向けて直角に折曲部１２ａが折曲形成され、該折曲部１２ａの先端に、後方に向けて水平となるよう折曲されたフランジ１２ｂが形成される。また前記内箱１１における前端の全周に亘り、外側(開口部１４ａから離間する側)に向けて直角に折曲部１１ａが折曲形成され、該折曲部１１ａの先端に、前方に向けて水平となるよう折曲されたフランジ１１ｂが形成される。両フランジ１１ｂ,１２ｂは、前後方向に所定間隔離間して同一レベルで対向し、両箱１１,１２の全周に亘って形成された両フランジ１１ｂ,１２ｂで、前記開口部１４ａが画成されるようになっている。そして、両箱１１,１２は、フランジ１１ｂ,１２ｂに係合する合成樹脂製の上下および左右のレール３１,３２,３３,３４を介して接続される。なお、各レール３１,３２,３３,３４の両箱１１,１２に対する接続構造は、基本的に同じであるので、下レール３２の場合で説明し、その他のレール３１,３３,３４の同一部材には同じ符号を付して示すこととする。
【００１３】
前記下レール３２は、図１に示す如く、両箱１１,１２のフランジ１１ｂ,１２ｂと略平行に延在し、両フランジ１１ｂ,１２ｂの離間寸法より長尺に設定された本体部１００の裏面(フランジ１１ｂ,１２ｂと対向する側)に、外箱１２におけるフランジ１２ｂの開放端に係合する第１係合部１０１と、内箱１１におけるフランジ１１ｂの開放端に係合すると共に該裏面との間で該フランジ１１ｂを挟持する第２係合部１０２とが形成されている。また本体部１００の前端には、略Ｌ字状に形成された前係止部１０３が形成され、該前係止部１０３が、外箱１２に対して前記折曲部１２ａから底面(外面)にかけて係止されるようになっている。
【００１４】
前記下レール３２の本体部１００における前後端縁部に所定高さで立上がる前立上がり部１０４および後立上がり部１０５が長手方向(幅方向)の全長に亘って立設されて、その間に上方(開口部１４ａ側)に開放する溝１０６が画成されている。後立上がり部１０５は、前記内箱１１の折曲部１１ａに前面側から当接すると共に、その上端(開放端)には内箱１１(断熱箱体１４)の内底面(内面)に係止される係止部としての後係止部１０７が後方に向けて一体に形成されている。すなわち、下レール３２は、内箱１１および外箱１２に対して、一対の係合部１０１,１０２および一対の係止部１０３,１０７により接続され、この状態で両箱体１１,１２で画成される内部空間に前記発泡断熱材１３を充填発泡することで一体化される。なお、上レール３１に形成された後係止部１０７は、内箱１１の天井面に係止されると共に、左右のレール３３,３４に形成された後係止部１０７,１０７は、内箱１１の内側面に夫々係止される。また上レール３１については、図４に示す如く、その本体部１００の前端に形成される前係止部１０３は、外箱１２における折曲部１２ａの前面にのみ係止される形状に形成されている。
【００１５】
前記下レール３２の溝１０６内における本体部１００の上面には、前後方向に離間して２本のレール条３７,３８が長手方向の全長に亘って立設される。そして、この下レール３２に対して前記前スライド扉３５および後スライド扉３６が、その下部に配設された後述のローラ組５４,５４を介して、対応のレール条３７,３８にスライド可能に支持されるようになっている。なお、本体部１００には、長手方向の適宜位置に通孔(図示せず)が形成され、前記溝１０６に滴下した結露水等を前記ドレンパン３０に導びくよう構成してある。また、前記レール条３７,３８の上端レベルは、収納室２３(断熱箱体１４)の内底面より下方に臨むよう設定され、前後のスライド扉３５,３６を開放して収納物を開口部１４ａから出し入れする際に、該レール条３７,３８が邪魔とならないよう構成してある。図１に示すように、実施例の下レール３２では、前記後立上がり部１０５に形成した後係止部１０７が収納室２３の内底面に係止されることで、該係止部１０７が収納室２３の内底面より僅か上方に突出し、これによって収納室２３の内底面に滴下した水滴が下レール３２内に流れ込むのを防止するようになっている。この場合に、収納室２３の内底面より後係止部１０７が上方に突出するが、内底面に同じ高さのスノコを置くことにより、該係止部１０７が収納物の出し入れの邪魔とならなくなる。
【００１６】
前記上レール３１の溝１０６内における本体部１００の下面には、図４に示す如く、その前後方向の中央に、仕切条１０８が長手方向の略全長に亘って立設される。そして、前立上がり部１０４と仕切条１０８および仕切条１０８と後立上がり部１０５との間に、前後のスライド扉３５,３６の上端部が対応的に臨んで、両スライド扉３５,３６を案内するよう構成される。
【００１７】
前記右レール３４には、図６に示す如く、両箱１１,１２のフランジ１１ｂ,１２ｂに沿う本体部１００の前後端縁部に、所定長さで開口部側(左レール側)に延出する前立上がり部１０４と後立上がり部１０５とが長手方向(上下方向)の全長に亘って形成されると共に、両立上がり部１０４,１０５における本体部１００から所定長さだけ離間する位置に、内側に突出する凸条４０,４０が長手方向に所定長さで平行に形成されている(図４参照)。そして、両凸条４０,４０と本体部１００との間に、ステンレス製の吸着板４１が着脱可能に差込まれて位置決めされ、前スライド扉３５に配設された磁石６５を吸着板４１に磁力吸着させることで、該スライド扉３５が閉成位置に保持されるようになっている。なお、左レール３３の構造は右レール３４と対称であるので、対応する部分および部品には同じ符号を付して示すものとする。
【００１８】
(スライド扉について)
前記断熱箱体１４の開口部１４ａにおいて、前後に並列配置された２枚のスライド扉３５,３６の基本的な構成は同じであるので、図３において右側に位置する前スライド扉３５の構成につき説明し、左側に位置する後スライド扉３６の同一部材には同じ符号を付して示し、その詳細説明は省略する。
【００１９】
前スライド扉３５は、図１に示す如く、ガラスや合成樹脂等から形成される透明な矩形状の２枚の平板材４２ａ,４２ａからなる透視体４２と、該透視体４２の左右および上下の外周囲に配設された合成樹脂製の枠体４３とから構成されている(図２)。前スライド扉３５は、前記開口部１４ａの右半分を略閉成可能な寸法に設定され、枠体４３の右側端を前記右レール３４に当接することで開口部１４ａを閉成するようになっている。
【００２０】
前記枠体４３は、図７に示す如く、透視体４２の左右側の外縁部に配設された左枠材４４と右枠材４５および透視体４２の上下側の外縁部に配設された上枠材４６と下枠材４７とから構成される。各枠材４４,４５,４６,４７には、その長手方向に沿って延在する一側面側に開放する溝部４８(図１に下枠材４７に形成された溝部４８を示す)が長手方向の全長に亘って形成され、該溝部４８に前記透視体４２の対応する外縁部が所定長さで嵌挿された状態で、両者がシール材４９により密着されている。なお、透視体４２の前後面と対向する溝部４８の両内面には、その高さ方向に所定間隔で複数の凹所５０が長手方向に沿って夫々形成され、各凹所５０に所要量のシール材４９を溜めることで、透視体４２と各枠材４４,４５,４６,４７とのシール性を向上させるよう構成してある。また、前スライド扉３５の右枠材４５(後スライド扉３６では左枠材４４)の右端部(左端部)には、前記吸着板４１に磁力吸着される前記磁石６５が、その長手方向の略全長に亘って配設されている。更に、前スライド扉３５の右枠材４５(後スライド扉３６では左枠材４４)には、前方に突出する取っ手６４が長手方向に所要長さで形成される。
【００２１】
前記下枠材４７には、下方に開放する取付溝としての角溝５１が下レール３２の延在方向である長手方向(幅方向)の全長に亘って形成され、該角溝５１の下端近傍の下レール３２と交差する方向に対向する前後の内面に、内側に所定長さで突出する凸部５２,５２が、左右の側端から長手方向に所要長さに亘って下レール３２と平行に延在するよう突設されている。そして、角溝５１の底部５１ａと両凸部５２,５２との間に画成される空間に、後述する複数(実施例では２つ)のローラ組５４が着脱可能に収納されるよう構成される。なお、下枠材４７の前面下部には、図１に示す如く、前記下レール３２における前立上がり部１０４より室内側に下端を臨ませたテーパ面５３が形成され、前記透視体４２の表面に発生した露が水滴となって下枠材４７の前面に流下した際に、該水滴を下レール３２の溝１０６に確実に案内するようになっている。また、下枠材４７の後面下部にも同様のテーパ面５３が形成されている。
【００２２】
前記下枠材４７の角溝５１は、長手方向(下レール３２の延在方向)の両側端が開放し、その側端開放部から前記ローラ組５４が空間に収納されるようになっている。また角溝５１における底部５１ａの上側に画成されている隙間には、図８に示す如く、Ｌ字形状に形成された固定金具５５の一方の片部５５ａが側端開放部から挿入されて、ローラ組５４を位置決め固定するネジ５６を対応するネジ孔(図示せず)に螺挿することで、該片部５５ａは底部５１ａに載置された状態で固定される。なお、固定金具５５の他方の片部５５ｂは、下枠材４７の側端開放部を閉成するよう位置すると共に、該片部５５ｂに右枠材４５の下部をネジ５７を介して固定するよう構成される。
【００２３】
(ローラ組について)
前記下枠材４７に配設されるローラ組５４は、図９および図１０に示す如く、矩形状の平板をコ字状に折曲げ形成した取付部材５８と、該取付部材５８に支持軸５９を介して回動可能に軸支されるローラ６０とから構成される。取付部材５８の前後に対向する垂直板５８ａ,５８ａには、その下端縁の所要位置に下方(凸部５２側)に開放するＵ字状の受部５８ｂ,５８ｂが形成されており、ローラ６０の中心通孔６０ａに挿通した支持軸５９の該ローラ６０から突出する両軸端部５９ａ,５９ａが、長手方向(幅方向)への移動を規制された状態で両受部５８ｂ,５８ｂに支持されるよう構成される。なお、受部５８ｂの深さ寸法は、支持軸５９における軸端部５９ａの直径と略同一に設定される。また取付部材５８の両垂直板５８ａ,５８ａの間に臨む水平部５８ｃには、その長手方向に離間して複数(実施例では２つ)の通孔５８ｄが穿設されている。
【００２４】
前記取付部材５８の高さ寸法は、前記下枠材４７における角溝５１の底部５１ａと凸部５２,５２との離間距離と略同一に設定され、該取付部材５８を、その水平部５８ｃが底部５１ａと対向する姿勢となるよう角溝５１の側端開放部から空間に収納した際に、その垂直板５８ａ,５８ａの下端が凸部５２,５２と対向して当接するよう構成される。そしてこの状態で、前記支持軸５９の両軸端部５９ａ,５９ａが、受部５８ｂ,５８ｂによって長手方向への移動が規制されると共に、該受部５８ｂ,５８ｂの開放側に位置する凸部５２,５２で受けられて抜止めされるようになっている。
【００２５】
前記下枠材４７における角溝５１の底部５１ａには、取付部材５８における水平板５８ｃに設けられた各通孔５８ｄと対応する位置に通孔５１ｂが穿設されており、両通孔５８ｄ,５１ｂに水平板側から挿通したネジ５６を、前記固定金具５５のネジ孔に螺挿することで、当該ロール組５４が下枠材４７の取付位置に位置決め固定される(図８参照)。
【００２６】
前記下枠材４７における両凸部５２,５２には、図１１(ａ)に示す如く、該下枠材４７の取付位置にローラ組５４を取付けた際に、前記支持軸５９が支持されている位置から離間する部位(側端開放部から離間する部位)に、該支持軸５９の通過を許容する切欠部５２ａ,５２ａが形成されている。また両凸部５２,５２の離間幅は、前記ローラ６０の軸方向寸法より大きく設定され、前記切欠部５２ａ,５２ａに支持軸５９を一致させた状態で(図１１(ｂ)参照)、前記角溝５１に対する支持軸５９およびローラ６０の取出しおよび取付けを行ない得るようになっている。
【００２７】
(冷気防止部材について)
前記下枠材４７における角溝５１の前後内面には、その下端近傍において内側に向けて斜めに延出する冷気防止部材６１,６１が、長手方向の全長に亘って形成されている。この冷気防止部材６１は、軟質合成樹脂製であって、両冷気防止部材６１,６１の開放端は近接し、室内冷気の逃出を防止するべく機能する。なお冷気防止部材６１,６１には、下枠材４７に位置決めされた前記ローラ６０と対応する位置に切欠６１ａ,６１ａが形成され(図９参照)、該切欠６１ａ,６１ａからローラ６０が下方に延出して、前記レール条３７に載置されるよう構成される。
【００２８】
(スライド扉のストッパについて)
前記前スライド扉３５における下枠材４７の裏面には、図１２に示す如く、金属製の第１ストッパー６２が、後方(収納室側)に向けて略直角三角形状に突出するよう配設され、その垂直に延出する当接面６２ａが、後スライド扉３６の右端部と対向するよう設定される。これに対して後スライド扉３６の右枠材４５には、弾性変形可能なゴム製筒状の第２ストッパー６３が配設され、前後のスライド扉３５,３６の何れかを開放した際に、第１ストッパー６２と第２ストッパー６３とが当接することで、それ以上の開放を規制するよう構成される。
【００２９】
前記第１ストッパー６２には、下枠材４７の下方に延出する折曲部６２ｂが形成され、該折曲部６２ｂが前記ローラ６０の一部に下方から当接するよう構成される。この折曲部６２ｂは、第１ストッパー６２に第２ストッパー６３が当接した際に、該第１ストッパー６２が回転するのを防止すると共に、ローラ６０のガタ付きを抑制するべく機能する。なお、折曲部６２ｂがローラ６０に当接していても、該ローラ６０の回転には支障がないよう設定される。
【００３０】
【実施例の作用】
次に、実施例に係るスライド扉用のレール構造の作用につき説明する。前記断熱箱体１４を製造するに際しては、両箱１１,１２のフランジ１１ｂ,１２ｂを所定間隔離間して対向した状態で、その上下および左右の内周囲に対応的にレール３１,３２,３３,３４を接続する。すなわち、下レール３２の場合について説明すれば、外箱１２における折曲部１２ａの前面および外箱１２の底面に下レール３２の前係止部１０３を当接係止させると共に、フランジ１２ｂの開放端を本体部１００に形成した第１係合部１０１に係合させる。また、内箱１１の折曲部１１ａの前面に下レール３２の後立上がり部１０４を当接すると共に、フランジ１１ｂを本体部１００と第２係合部１０２とで挟持して係合する。これにより、両箱１１,１２の下部フランジ１１ｂ,１２ｂは下レール３２により接続される。このとき、下レール３２の後係止部１０７は、内箱１１の内底面に係止されて、接続強度が確保される。
【００３１】
そして、前記上レール３１および左右のレール３３,３４を、下レール３２の場合と同様に両箱１１,１２のフランジ１１ｂ,１２ｂに接続した状態で、両箱１１,１２および４本のレール３１,３２,３３,３４で画成される内部空間に発泡断熱材１３を充填発泡することで、各レール３１,３２,３３,３４は断熱箱体１４と一体に構成される。このように、前記前後のスライド扉３５,３６の荷重が加わる下レール３２は、断熱箱体１４と一体化されているから、該扉３５,３６を支持するのに充分な強度を確保することができ、破損等が生ずるのを抑制し得る。また、下レール３２における前記レール条３７,３８の上端レベルは、前記収納室２３の内底面より下方に臨んでいるから、前後のスライド扉３５,３６を開放して開口部１４ａを介して収納物を出し入れする際の邪魔とはならない。
【００３２】
次に、スライド扉に対するローラ組５４の取付けについて、前スライド扉３５の場合で説明する。前記ローラ６０の中心通孔６０ａに支持軸５９を挿通した状態で、該支持軸５９のローラ６０から突出する両軸端部５９ａ,５９ａを、前記取付部材５８の受部５８ｂ,５８ｂに支持させる(図９参照)。この場合、従来のように複数の通孔の軸心を一致させた状態で、支持軸５９を共通的に挿通する必要はないから、作業が簡単かつ容易である。そして、このロール組５４を、図９に示すようにして、前記下枠材４７の角溝５１における底部５１ａと両凸部５２,５２との間の空間に、側端開放部から収納する。前記取付部材５８の高さ寸法は、前述したように下枠材４７における角溝５１の底部５１ａと凸部５２,５２との離間距離と略同一に設定されているから、図１に示す如く、その水平部５８ｃが底部５１ａに対向当接すると共に、その垂直部５８ａ,５８ａの下端が凸部５２,５２に対向当接する。すなわち前記支持軸５９は、受部５８ｂ,５８ｂにより長手方向への移動が規制された状態で、その軸端部５９ａ,５９ａが凸部５２,５２で受けられて抜止めされ、該支持軸５９に回動可能に軸支されたローラ６０は定位置に支持される。なお、支持軸５９の軸方向への移動は、角溝５１の前後の内面により規制される。
【００３３】
前記取付部材５８の通孔５８ｄと下枠材４７の通孔５１ｂとを一致させると共に、前記固定金具５５の一方の片部５５ａを底部５１ａの上方の隙間に側端開放部から収納し、そのネジ孔を前記通孔５８ｄ,５１ｂと一致させる。この状態で、前記通孔５８ｄ,５１ｂに挿通したネジ５６をネジ孔に螺挿することで、ローラ組５４は下枠材４７の取付位置に位置決め固定される(図８参照)。
【００３４】
すなわち、実施例のスライド扉３５,３６では、ローラ組５４を構成するローラ６０を回動可能に軸支する支持軸５９は、取付部材５８の受部５８ｂ,５８ｂと下枠材４７の凸部５２,５２とで支持する構成としてあるので、Ｅリングのような小さな部品を用いる必要はなく、取付けが簡単で部品点数も少なくし得る。しかも、支持軸５９を複雑な形状とする必要もないから、コストを低廉に抑えることができる。なお、下枠材４７の凸部５２,５２は、支持軸５９が受部５８ｂ,５８ｂから外れるのを防止するためのものであって、スライド扉全体の質量は取付部材５８の受部５８ｂ,５８ｂで受ける構成となっているから、凸部５２,５２の強度を必要以上に高める必要はない。
【００３５】
次に、前記ローラ６０が破損して交換を要する場合は、前記ネジ５６を取外して角溝５１内でローラ組５４を移動可能な状態とする。そして、図１１(ｂ)に示す如く、前記取付部材５８と共に支持軸５９を角溝５１に沿って移動し、該支持軸５９を前記凸部５２,５２の切欠部５２ａ,５２ａと整列一致させる。これにより、該支持軸５９をローラ６０と共に角溝５１から簡単に取外すことができ、外部でローラ６０を交換し得る。また新しいローラ６０を軸支した支持軸５９は、前記切欠部５２ａ,５２ａと整列一致させた状態で角溝５１内に挿入し、両軸端部５９ａ,５９ａを前記取付部材５８の受部５８ｂ,５８ｂに支持させた状態で、取付部材５８と共に角溝５１に沿って取付位置まで移動させることで、支持軸５９の両軸端部５９ａ,５９ａは凸部５２,５２により受けられて抜止めされる。
【００３６】
このように、ローラ６０の交換に際しては、ネジ５６を取外して取付部材５８を移動するだけでよく、余分な部品を取外したり枠体４３を分解することなく対応し得るので、作業時間を短縮し得ると共に、部品を紛失することも少なくなる。また、下枠材４７に対するローラ組５４の取付けは下枠材４７の側端開放部から行ない、ローラ６０の交換等に際しては前記取付部材５８を取外す必要はないので、前記冷気防止部材６１,６１には、取付部材５８を取付けたり取外すための大きな切欠を設ける必要はなく、収納室２３からの冷気洩れを確実に防止することができる。なお、下枠材４７に対するローラ組５４あるいは支持軸５９とローラ６０の取付けや取外し作業は、上下を反転した姿勢で行なうことで、支持軸５９が取付部材５８から外れることなく容易に行ない得る。
【００３７】
次に、冷蔵ショーケース１０の冷却運転が開始されると、前記冷凍装置１９、冷却器２４およびファンモータ２６等によって収納室２３が冷却される。外気温と室内温度との温度差や外湿度等の条件により、前後のスライド扉３５,３６の室外側の表面に結露を生じ、この結露水は視透体４２から下枠材４７に流下する。下枠材４７の前面下部には、その下端を下レール３２の溝１０６に臨ませたテーパ面５３が形成してあるから、結露水は確実に下レール３２の溝１０６に滴下し、冷蔵ショーケース１０の据付け床面等を濡らすことはない。そして、下レール３２に滴下した結露水は、断熱箱体１４の外底部に配設されているドレンパン３０に排出される。また、前記下レール３２の後係止部１０７が収納室２３の内定面より僅か上方に突出しているから、収納室２３の内底面に滴下した水滴が下レール３２内に流れ込むのは防止される。
【００３８】
ここで、前記前スライド扉３５(後スライド扉３６)において、透視体４２の外縁部が嵌挿される枠体４３の溝部４８に、シール材４９を溜めることのできる複数の凹所５０を形成したので、視透体４２と枠体４３とは強固に密着している。従って、枠体４３に形成された取っ手６４を介してスライド扉３５(３６)を開閉する際に加わる荷重により、透視体４２と枠体４３との密着面が離れることはなく、取っ手６４の付け根が割れたり破損するのを未然に防止し得る。また透視体４２と枠体４３との嵌合部にはシール材４９が充填されているから、該嵌合部に汚水やゴミ等の異物が入り込むことはなく、冷蔵ショーケース１０を常に衛生的に保つことができる。
【００３９】
前記左右のレール３３,３４には、各スライド扉３５,３６を閉成状態に保持するための吸着板４１が、その本体部１００の開口部１４ａ側に夫々差込んで位置決めするよう構成してあるから、その取付け作業が簡単で、両面テープ等で貼付ける必要もなく、剥がれることもない。また吸着板４１の端縁部は、図６に示すように、前記凸条４０,４０で覆われて露出しないので、安全でかつ清掃性も良好となる。
【００４０】
前記前後のスライド扉３５,３６には、図１２に示す如く、両扉３５,３６を一定以上開放させないための第１ストッパー６２と第２ストッパー６３が配設されている。すなわち、図３において前スライド扉３５を全開したときに、該扉３５の左端部が後スライド扉３６の取っ手６４に当たるのを防止し、該取っ手６４が破損するのを防ぐことができる。また第１ストッパー６２と第２ストッパー６３とは面同士で当接して開放規制を行なうよう構成してあるので、スライド扉３５,３６が回動して傾くのを防止し、前記ローラ６０がレール条３７,３８から外れないようになっている。
【００４１】
なお、実施例ではスライド扉用のレール構造を冷蔵ショーケースに採用した場合で説明したが、本願はこれに限定されるものでなく、冷凍庫や温蔵庫等であってもよい。また実施例では前後２枚のスライド扉を下レールにスライド可能に支持したが、スライド扉は１枚、あるいは３枚以上であってもよい。
【００４２】
【発明の効果】
以上説明した如く、本発明に係るスライド扉用のレール構造によれば、下レールを断熱箱体と一体に構成したので、該下レールの取付け強度が向上して容易に破損することは防止される。またレールを取付けるための受け板を別途断熱箱体に取付ける必要がないので、部品点数や取付け工数が低減し、製造コストを低廉に抑えると共に作業時間を短縮することができる。
【００４３】
前記下レールに形成されるレール条の上端レベルを、断熱箱体の内底面より低くなるよう設定したから、該箱体における開口部の開口寸法が狭くなることはなく、収納物の出し入れが容易となる利点を有する。また下レールの後端に形成した係止部を断熱箱体の内底面に係止するよう構成することで、下レールと両箱との取付け強度が向上する。なお、係止部が内底面より上方に突出するから、内底面に滴下した水滴が下レール内に流れ込むのは防止される。
【図面の簡単な説明】
【図１】  本発明の実施例に係るスライド扉用のレール構造を示す要部縦断側面図である。
【図２】  実施例のスライド扉用のレール構造を採用した冷蔵ショーケースの全体を示す概略斜視図である。
【図３】  実施例の冷蔵ショーケースを示す横断平面図である。
【図４】  実施例の冷蔵ショーケースを示す要部縦断側面図である。
【図５】  実施例の冷蔵ショーケースを示す要部横断平面図である。
【図６】  実施例の右レールの配設部分を示す要部横断平面図である。
【図７】  前スライド扉を示す要部切欠正面図である。
【図８】  前スライド扉に配設されるロール組の取付け状態を示す要部縦断正面図である。
【図９】  前スライド扉に配設されるローラ組を示す要部斜視図である。
【図１０】  前スライド扉に配設されるロール組を示す分解斜視図である。
【図１１】  実施例の前スライド扉を示す要部底面図である。
【図１２】  実施例の第１ストッパーと第２ストッパーとが当接した状態で示す前および後スライド扉の要部底面図である。
【図１３】  従来の技術に係るスライド扉用のレール構造を示す要部縦断側面図である。
【図１４】  従来の技術に係るスライド扉用のレール構造を示す要部縦断側面図である。
【符号の説明】
１１ 内箱，１１ａ フランジ，１２ 外箱，１２ａ フランジ
１３ 発泡断熱材(断熱材)，１４ 断熱箱体，１４ａ 開口部，３２ 下レール
３５ 前スライド扉(スライド扉)，３６ 後スライド扉(スライド扉)
３７ レール条，３８ レール条，１０１ 第１係合部，１０２ 第２係合部
１０７ 後係止部(係止部)
【図１】
0003640574.tif 000002
【図２】
0003640574.tif 000003
【図３】
0003640574.tif 000004
【図４】
0003640574.tif 000005
【図５】
0003640574.tif 000006
【図６】
0003640574.tif 000007
【図７】
0003640574.tif 000008
【図８】
0003640574.tif 000009
【図９】
0003640574.tif 000010
【図１０】
0003640574.tif 000011
【図１１】
0003640574.tif 000012
【図１２】
0003640574.tif 000013
【図１３】
0003640574.tif 000014
【図１４】
0003640574.tif 000015